(57)【要約】【課題】返信用葉書を設けたとしても、返信用葉書が設けられていない広告印刷物と対比し、広告情報に割り当てられる広告印刷物の印刷スペースを同等に確保することができる返信用葉書付き広告印刷物を提供する。【解決手段】仮想折れ線ａで左側部１１と右側部１２とに区画される本紙部１３と、返信用葉書部１４が設けられた紙片部１５と、を有し、返信用葉書部１４は、その外周にカット線が形成され、紙片部１５が本紙部１３の左側部１１、又は右側部１２に接着又は粘着されており、本紙部１３が仮想折れ線ａで折り畳まれている。【選択図】図１
2018034457.tif 000002
【特許請求の範囲】
【請求項１】
仮想折れ線で左側部と右側部とに区画される本紙部と、
返信用葉書部が設けられた紙片部と、を有し、
前記返信用葉書部は、その外周にカット線が形成され、
前記紙片部が前記本紙部の左側部、又は前記右側部に接着又は粘着されており、
前記本紙部が前記仮想折れ線で折り畳まれていることを特徴とする広告用印刷物。
【請求項２】
前記紙片部は、前記返信用葉書部以外の領域で前記左側部、又は前記右側部に接着又は粘着され、
前記本紙部が前記仮想折れ線で折り畳まれた状態から前記左側部、又は前記右側部を開き、前記返信用葉書部が前記カット線により前記紙片部から分離された際、前記返信用葉書部が分離された領域から前記左側部、又は前記右側部の表面が露出することにより、前記表面に印刷された広告情報が露出することを特徴とする請求項１に記載の返信用葉書付き広告印刷物。
【請求項３】
前記紙片部は、前記左側部、又は前記右側部と剥離可能に粘着され、
前記本紙部が前記仮想折れ線で折り畳まれた状態から前記左側部、又は前記右側部を開き、前記紙片部を、それに設けられた前記返信用葉書部と共に、又は前記返信用葉書部を前記紙片部から分離した後に、前記本紙部から剥離させることができることを特徴とする請求項１に記載の返信用葉書付き広告印刷物。
【請求項４】
仮想折れ線で中央部と前記中央部の両側から延設された左側部及び右側部とに区画される本紙部と、
返信用葉書部が設けられた紙片部と、を有し、
前記返信用葉書部は、その外周にカット線が形成され、
前記紙片部が前記中央部に接着又は粘着されており、
前記左側部及び前記右側部が前記仮想折れ線で前記中央部側に折り畳まれていることを特徴とする返信用葉書付き広告印刷物。
【請求項５】
前記紙片部は、前記返信用葉書部以外の領域で前記中央部に接着又は粘着され、
前記左側部及び前記右側部が前記仮想折れ線で前記中央部側に折り畳まれた状態から前記左側部及び前記右側部を開き、前記返信用葉書部が前記カット線により前記紙片部から分離された際、前記返信用葉書部が分離された領域から前記中央部の表面が露出し、前記表面に印刷された広告情報が露出することを特徴とする請求項４に記載の返信用葉書付き広告印刷物。
【請求項６】
前記紙片部は、前記中央部と剥離可能に粘着され、
前記左側部及び前記右側部が前記仮想折れ線で前記中央部側に折り畳まれた状態から前記左側部及び前記右側部を開き、前記紙片部を、それに設けられた前記返信用葉書部と共に、又は前記返信用葉書部を前記紙片部から分離した後に、前記本紙部から剥離させることができることを特徴とする請求項４に記載の返信用葉書付き広告印刷物。
【発明の詳細な説明】
【技術分野】
【０００１】
本発明は、新聞や雑誌などに折り込まれたり、書店などの店頭で配布される返信用葉書付き広告印刷物に関する。
【背景技術】
【０００２】
新聞などに折り込まれて配布される広告印刷物は、一枚の紙面の両側に広告情報を印刷したものが一般的である。このような形式の広告印刷物は、日常的によくみられるものであるため、表現方法などに特別な工夫をしなければ、ユーザの商品に対する購買意欲を惹起する力が弱い。そこで、特許文献１に開示された広告印刷物は、広告をみて商品などに興味を持った人が商品の購買注文をするためなどに用いることができる返信用葉書が添付されている。
【０００３】
返信用葉書が添付された広告印刷物としては、特許文献２に開示された広告印刷物があげられる。特許文献２に開示された広告印刷物は、紙面に直接、返信用葉書が設けられている。
【先行技術文献】
【特許文献】
【０００４】
【特許文献１】特開２００４−１３３０６５号公報
【特許文献２】特開２０１０−２６９６０７号公報
【発明の概要】
【発明が解決しようとする課題】
【０００５】
しかしながら、特許文献２のように紙面に直接、返信用葉書が設けられる構成である場合、紙面に返信用葉書の裏表両面を印刷するために広告情報が印刷されない領域を確保する必要があり、返信用葉書が設けられていない広告印刷物と比べて、広告情報に割り当てられる広告印刷物の印刷スペースは返信用葉書の裏表両面が印刷された領域の分だけ減少していた。
【０００６】
本発明は、上記課題に鑑みて、返信用葉書を設けたとしても、返信用葉書が設けられていない広告印刷物と対比し、広告情報の印刷スペースを、返信用葉書が設けられていない広告印刷物と同等に確保することができる返信用葉書付き広告印刷物を提供することにある。
【課題を解決するための手段】
【０００７】
上記課題を解決するためになされた本発明の返信用葉書付き広告印刷物は、仮想折れ線で左側部と右側部とに区画される本紙部と、返信用葉書部が設けられた紙片部と、を有し、前記返信用葉書部は、その外周にカット線が形成され、前記紙片部が前記本紙部の左側部、又は前記右側部に接着又は粘着されており、前記本紙部が前記仮想折れ線で折り畳まれていることを特徴とする。
この構成により、返信用葉書部が設けられた紙片部を本紙部とは別に備えることによって、返信用葉書を設けたとしても、返信用葉書が設けられていない広告印刷物と対比し、広告情報の印刷スペースを同等に確保することができる。
【０００８】
また、本発明の返信用葉書付き広告印刷物は、前記紙片部は、前記返信用葉書部以外の領域で前記左側部、又は前記右側部に接着又は粘着され、前記本紙部が前記仮想折れ線で折り畳まれた状態から前記左側部、又は前記右側部を開き、前記返信用葉書部が前記カット線により前記紙片部から分離された際、前記返信用葉書部が分離された領域から前記左側部、又は前記右側部の表面が露出することにより、前記表面に印刷された広告情報が露出することを特徴とする。
この構成により、本紙部の広告情報の印刷領域を確保すると共に、前記紙片部の前記返信用葉書部が分離された領域から前記左側部、又は前記右側部が新たに露出し、ユーザの興味を引くことができる。
【０００９】
また、本発明の返信用葉書付き広告印刷物は、前記紙片部は、前記左側部、又は前記右側部と剥離可能に粘着され、前記本紙部が前記仮想折れ線で折り畳まれた状態から前記左側部、又は前記右側部を開き、前記紙片部を、それに設けられた前記返信用葉書部と共に、又は前記返信用葉書部を前記紙片部から分離した後に、前記本紙部から剥離させることができることを特徴とする。
この構成により、返信用葉書が設けられた紙片部を粘着させる位置や領域に関係なく、本紙部の広告情報の印刷領域のレイアウトを変更することができることから、本紙部の広告情報の印刷文を自由にレイアウトして印刷することができる。
【００１０】
また、本発明の返信用葉書付き広告印刷物は、仮想折れ線で中央部と前記中央部の両側から延設された左側部及び右側部とに区画される本紙部と、返信用葉書部が設けられた紙片部と、を有し、前記返信用葉書部は、その外周にカット線が形成され、前記紙片部が前記中央部に接着又は粘着されており、前記左側部及び前記右側部が前記仮想折れ線で前記中央部側に折り畳まれていることを特徴とする。
この構成により、本紙部がいわゆる観音開きの構成になっており、本紙部が右側部と左側部とからなる場合に比して、より多くの広告情報の印刷領域を確保することができる。
【００１１】
また、本発明の返信用葉書付き広告印刷物は、前記紙片部は、前記返信用葉書部以外の領域で前記中央部に接着又は粘着され、前記左側部及び前記右側部が前記仮想折れ線で前記中央部側に折り畳まれた状態から前記左側部及び前記右側部を開き、前記返信用葉書部が前記カット線により前記紙片部から分離された際、前記返信用葉書部が分離された領域から前記中央部の表面が露出して、前記表面に印刷された広告情報が露出することを特徴とする。
この構成により、本紙部の広告情報の印刷領域を確保すると共に、前記紙片部の前記返信用葉書が分離された領域から前記中央部が新たに露出し、ユーザの興味を引くことができる。
【００１２】
また、本発明の返信用葉書付き広告印刷物は、前記紙片部は、前記中央部と剥離可能に粘着され、前記左側部及び前記右側部が前記仮想折れ線で前記中央部側に折り畳まれた状態から前記左側部及び前記右側部を開き、前記紙片部を、それに設けられた前記返信用葉書部と共に、又は前記返信用葉書部を前記紙片部から分離した後に、前記本紙部から剥離させることができることを特徴とする。
この構成により、返信用葉書が設けられた紙片部を粘着させる位置や領域に関係なく、本紙部の広告情報の印刷領域のレイアウトを変更することができることから、本紙部の広告情報の印刷文を自由にレイアウトして印刷することができる。
【発明の効果】
【００１３】
本発明の返信用葉書付き広告印刷物は、返信用葉書が設けられていても、返信用葉書が設けられていない広告印刷物と対比し、広告情報の印刷領域を同等に確保することができる。
【図面の簡単な説明】
【００１４】
【図１】本実施形態の実施例１の返信用葉書付き広告印刷物を開いた状態を示す平面図である。
【図２】本実施形態の実施例１の返信用葉書付き広告印刷物の展開図である。
【図３】本実施形態の実施例１の返信用葉書付き広告印刷物を折り畳んだ状態を示す平面図である。
【図４】本実施形態の実施例２の返信用葉書付き広告印刷物を開いた状態を示す平面図である。
【図５】本実施形態の実施例２の返信用葉書付き広告印刷物の展開図である。
【図６】本実施形態の実施例２の返信用葉書付き広告印刷物を折り畳んだ状態を示す平面図である。
【図７】図４に示す本実施形態の実施例２の返信用葉書付き広告印刷物を開いた状態の別例である実施例３を示す平面図である。
【発明を実施するための最良の形態】
【００１５】
以下、本発明に係る返信用葉書付き広告印刷物の形態について、添付図面に基づいて詳細に説明する。図１〜３は、本実施形態の実施例１の返信用葉書付き広告印刷物を示す。また、図４〜６は、本実施形態の実施例２の返信用葉書付き広告印刷物を示す。図７は、本実施形態の実施例３の返信用葉書付き広告印刷物を示す。
【００１６】
本実施形態の実施例１の返信用葉書付き広告印刷物１０は、仮想折れ線ａで左側部１１と右側部１２に区画される本紙部１３と、返信用葉書部１４が設けられた紙片部１５とを有する。
【００１７】
紙片部１５は、返信用葉書部１４が設けられており、返信用葉書部１４は、その外周にカット線１４ａが形成されている。カット線１４ａが分離されることにより、返信用葉書部１４を紙片部１５から分離させることができる。
【００１８】
実施例１では、紙片部１５は、返信用葉書部１４の表面、及び裏面が印刷された紙面が任意の所定幅寸法に切断されると共に、返信用葉書部１４の外周にカット線１４ａが形成されている。また、紙片部１５は、例えば一枚の用紙から作成しても、一枚の用紙を折り畳み、裏面同士を貼り合わせて作成してもよい。さらに、紙片部１５は、返信用葉書部１４の表面が印刷された紙片と返信用葉書部１４の裏面が印刷された紙片とからなる２枚の用紙を貼り合わせて作成してもよい。
【００１９】
また、紙片部１５は、図示しない接着剤又は粘着剤により本紙部１３の左側部１１、又は右側部１２に接着又は粘着されている。具体的には、紙片部１５は、返信用葉書部１４以外の領域で本紙部１３の左側部１１、又は右側部１２に接着又は粘着されることにより、紙片部１５が本紙部１３から剥離しないよう、又は剥離することができるようになっている。一方、返信用葉書部１４は本紙部１３と接着又は粘着されておらず、カット線１４ａを分離することにより、返信用葉書部１４を紙片部１５から分離させることができる。このように、本紙部１３に接着された紙片部１５から返信用葉書部１４を分離させることができる構成、すなわち返信用葉書部１４が設けられた紙片部１５を本紙部１３とは別に備えることによって、本紙部１３に返信用葉書部１４の裏表両面を印刷するために広告情報を印刷しない領域を設ける必要が無く、返信用葉書部１４に対応する本紙部１３の広告情報の印刷領域を犠牲にしないことができる。
【００２０】
さらに、紙片部１５の全部が、本紙部１３の左側部１１、又は右側部１２と剥離可能に粘着されてもよい。紙片部１５が、本紙部１３と剥離可能に粘着されていることにより、返信用葉書部１４を含めて紙片部１５を本紙部１３から分離させることができる。このように、紙片部１５を返信用葉書部１４と共に、又は返信用葉書部１４を紙片部１５から分離した後に、紙片部１５を本紙部１３から分離させることができる構成であれば、本紙部１３に返信用葉書部１４の裏表両面を印刷するために印刷スペースを確保する必要が無く、本紙部１３の印刷スペースの全てを広告情報の印刷に割り当てることができる。また、本紙部１３の広告情報の印刷のレイアウトが紙片部１５の存在を意識することなく行うことができるという印刷上の大きな利点がある。
【００２１】
また、本紙部１３の左側部１１及び右側部１２の外周縁１１ａ、１２ａには、外周に沿って、所定幅の剥離可能な接着剤が、直線状、又はドット状に塗布されている。接着剤は、一過性の接着力が圧力を加えることで得られる感圧接着剤を好適に用いることができる。
【００２２】
このように構成された返信用葉書付き広告印刷物１０は、例えば図２に示すように紙片部１５が右側部１２の任意の位置に接着又は粘着され、図３に示すように本紙部１３の左側部１１が右側部１２の上に位置するように折り畳まれる。ここで、左側部１１の外周縁１１ａは、右側部１２の外周縁１２ａと一過性の接着剤で剥離可能に接着される。そして、接着剤に圧力を加えて接着すると、返信用葉書付き広告印刷物１０の外周が開封可能（剥離可能）に封止され、新聞折込等の際に、一体物として取扱いが可能な圧着チラシとなる。
【００２３】
ここで、紙片部１５が返信用葉書部１４以外の領域で本紙部１３の右側部１２に接着又は粘着されている場合、返信用葉書付き広告印刷物１０は、図３に示した本紙部１３が仮想折れ線ａで折り畳まれた状態から例えば左側部１１を開き、返信用葉書部１４のカット線１４ａを分離させることにより、返信用葉書部１４を紙片部１５から分離させることができる（図１を参照）。その際、返信用葉書部１４が分離された領域、すなわち紙片部１５の枠部から右側部１２の表面１２ｂが露出して、表面１２ｂに印刷された広告情報が露出した状態となる。このように、返信用葉書部１４が分離された紙片部１５の枠部から右側部１２の表面１２ｂに印刷された広告情報が新たに露出することにより、ユーザの興味を引くことができる。また、新たに露出する右側部１２の表面１２ｂに印刷された広告情報として、ユーザの興味を引くような情報、即ちユーザが得する情報、例えばクーポン等を印刷しておくことにより、ユーザが返信用葉書部１４を切り取るきっかけとなり好ましい。
【００２４】
さらに、紙片部１５の全部が本紙部１３の右側部１２に剥離可能に粘着されている場合、返信用葉書付き広告印刷物１０は、図３に示した本紙部１３が仮想折れ線ａで折り畳まれた状態から例えば左側部１１を開き、本紙部１３の右側部１２から返信用葉書部１４と共に紙片部１５を分離させることができる。このように、返信用葉書部１４と共に紙片部１５を本紙部１３から分離させることができるため、本紙部１３の印刷スペースの全てを広告情報の印刷に割り当てることができる。すなわち、返信用葉書部１４が設けられた紙片部１５を粘着させる位置や領域に合わせて、本紙部１３の広告情報の印刷領域のレイアウトを変更する必要がなく、本紙部１３の広告情報の印刷文を自由にレイアウトして印刷することができる。
【００２５】
以上のように構成された返信用葉書付き広告印刷物１０は、返信用葉書部１４を設けたとしても、返信用葉書部１４を設けていない広告印刷物と対比し、広告情報の印刷領域を同等に確保することができる。なお、返信用葉書付き広告印刷物１０は、返信用葉書部１４が分離されたとしても、本紙部１３に開口部が形成されることがないため、その開口部に物が引っ掛かり、本紙部１３が破れることを回避することができる。
【００２６】
次に、本実施形態の実施例２の返信用葉書付き広告印刷物３０は、図４に示すように、仮想折れ線ａ、ｂで中央部３１と中央部３１の両側から延設された左側部３２及び右側部３３とに区画される本紙部３４と、返信用葉書部３５が設けられた紙片部３６とを有しており、いわゆる観音開きの構成となっている。
【００２７】
紙片部３６は、上述した紙片部１５のように、返信用葉書部３５が設けられており、返信用葉書部３５は、その外周にカット線３５ａが形成されている。カット線３５ａが分離されることにより、返信用葉書部３５を紙片部３６から分離させることができる。
【００２８】
紙片部３６は、図５に示すように返信用葉書部３５以外の領域で、本紙部３４の中央部３１に接着又は粘着されている。具体的には、紙片部３６は、返信用葉書部３５以外の領域で中央部３１に接着又は粘着されることにより、紙片部３６が本紙部３４から剥離しないよう、又は剥離することができるようになっている。一方、返信用葉書部３５は本紙部３４と接着されておらず、カット線３５ａを分離することにより、返信用葉書部３５を紙片部３６から分離させることができる。このように、本紙部３４に接着された紙片部３６から返信用葉書部３５を分離させることができる構成、すなわち返信用葉書部３５が設けられた紙片部３６を本紙部３４とは別に備えることによって、本紙部３４に返信用葉書部３５の裏表両面を印刷するために広告情報を印刷しない領域を設ける必要が無く、本紙部３４に返信用葉書部３５に対応する本紙部３４の広告情報の印刷領域を犠牲にしないことができる。なお、紙片部３６を中央部３１に接着又は粘着させる位置は、任意の位置でよいが、左側部３２と右側部３３とを中央部３１側に折り畳んだ際、左側部３２と右側部３３との境目となる位置にすると好ましい。
【００２９】
また、紙片部３６の全部が本紙部３４の中央部３１と剥離可能に粘着されてもよい。紙片部３６が本紙部３４と剥離可能に粘着されていることにより、返信用葉書部３５を含めた紙片部３６を本紙部３４から分離させることができる。このように、返信用葉書部３５を含めた紙片部３６を分離させることができる構成、すなわち返信用葉書部３５が設けられた紙片部３６を本紙部３４とは別に備えることによって、本紙部３４に返信用葉書部３５の裏表両面を印刷するために広告情報を印刷しない領域を設ける必要が無く、本紙部３４の印刷スペースの全てを広告情報の印刷に割り当てることができる。また、本紙部３４の広告情報の印刷のレイアウトが紙片部３６の存在を意識することなく行うことができるという印刷上の大きな利点がある。
【００３０】
さらに、本紙部３４の中央部３１、左側部３２、及び右側部３３の外周縁３１ａ、３２ａ、及び３３ａには、それぞれ外周に沿って、所定幅の剥離可能な接着剤が、直線状、又はドット状に塗布されている。接着剤は、一過性の接着力が圧力を加えることで得られる感圧接着剤を好適に用いることができる。
【００３１】
このように構成された返信用葉書付き広告印刷物３０は、例えば紙片部３６が中央部３１の任意の位置に接着された状態で、本紙部３４の左側部３２及び右側部３３を中央部３１上に位置するように折り畳むと図６に示す状態となる。ここで、左側部３２の外周縁３２ａ及び右側部３３の外周縁３３ａは、中央部３１の外周縁３１ａと一過性の接着剤で剥離可能に接着される。そして、接着剤に圧力を加えて接着すると、返信用葉書付き広告印刷物１０の外周が開封可能（剥離可能）に封止され、新聞折込等の際に、一体物として取扱いが可能な圧着チラシとなる。
【００３２】
ここで、紙片部３６が返信用葉書部３５以外の領域で本紙部３４の中央部３１に接着又は粘着されている場合、返信用葉書付き広告印刷物３０は、図６に示した本紙部３４が仮想折れ線ａ、ｂで折り畳まれた状態から、例えば左側部３２及び右側部３３を開き、返信用葉書部３５のカット線３５ａを分離することにより、紙片部３６から返信用葉書部３５を分離することができる（図４を参照）。その際、返信用葉書部３５が分離された領域、すなわち紙片部３６の枠部から中央部３１の表面３１ｂが露出して、表面３１ｂに印刷された広告情報が露出する。このように、紙片部３６の枠部から中央部３１の表面３１ｂに印刷された広告情報が新たに露出することにより、ユーザの興味を引くことができる。なお、新たに露出する中央部３１の表面３１ｂに印刷された広告情報として、ユーザの興味を引くような情報を印刷しておくことにより、ユーザが返信用葉書部３５を切り取るきっかけとなり好ましい。
【００３３】
さらに、紙片部３６の全部が本紙部３４の中央部３１に剥離可能に粘着されている場合、返信用葉書付き広告印刷物３０は、図６に示した本紙部３４が仮想折れ線ａ、ｂで折り畳まれた状態から例えば左側部３２及び右側部３３を開き、本紙部３４の中央部３１から返信用葉書部３５と共に紙片部３６を分離させることができる。このように、返信用葉書部３５と共に紙片部３６を本紙部３４から分離させることができるため、本紙部３４に返信用葉書部３５の裏表両面を印刷する必要が無く、本紙部３４の印刷スペースの全てを広告情報の印刷に割り当てることができる。すなわち、返信用葉書部３５が設けられた紙片部３６を粘着させる位置や領域に合わせて、本紙部３４の広告情報の印刷領域のレイアウトを変更する必要がなく、本紙部３４に印刷する広告情報の印刷文を自由にレイアウトして印刷することができる。
【００３４】
以上のように構成された返信用葉書付き広告印刷物３０は、返信用葉書部３５を設けたとしても、返信用葉書部３５を設けていない広告印刷物と対比して、同等の印刷スペースを確保することができる。また、返信用葉書付き広告印刷物３０は、返信用葉書部３５を分離したとしても、本紙部３４に開口部が形成されないため、開口部に物が引っ掛かり、本紙部３４が破れることも回避することができる。
【００３５】
なお、本実施形態の実施例３として、中央部３１に接着された紙片部３６の返信用葉書部３５上に位置する左側部３２、又は右側部３３の領域に剥離可能な接着剤を塗布し、返信用葉書部３５と粘着させる構成としてもよい。ただ、返信用葉書部３５に印刷されたユーザ記入欄に当該接着剤が付着すると記入し難くなるため、当該接着剤を塗布する領域に留意すべきである。このように左側部３２、又は右側部３３と返信用葉書部３５とが粘着されることにより、本紙部３４が折り畳まれた状態から左側部３２、又は右側部３３を開いた際、返信用葉書部３５が左側部３２、又は右側部３３に粘着された状態で、返信用葉書部３５がカット線３５ａで分離され、紙片部３６から返信用葉書部３５を分離させることができる（図７を参照）。
【００３６】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含む。
【符号の説明】
【００３７】
１０、３０…返信用葉書付き広告印刷物
１１、３２…左側部
１２、３３…右側部
１３、３４…本紙部
１４、３５…返信用葉書部
１５、３６…紙片部
３１…中央部
ａ、ｂ…仮想折れ線
【図１】
2018034457.tif 000003
【図２】
2018034457.tif 000004
【図３】
2018034457.tif 000005
【図４】
2018034457.tif 000006
【図５】
2018034457.tif 000007
【図６】
2018034457.tif 000008
【図７】
2018034457.tif 000009